(57)【要約】【課題】クリップ構造及びハンガー構造を有するマイク取付け構造において、クリップ構造の動作に伴ってハンガー構造に対するロック機構を動作させる。【解決手段】本体ケース２１ａと、本体ケース２１ａに設けられたクリップ部２２ａと、本体ケース２１ａに設けられ、当該本体ケース２１ａに対して収納された状態及び引出された状態に移動可能なハンガー部２３ａと、ハンガー部２３ａの移動に伴って移動する第１，２の凸部２４１ａ，２４２ａ、及び、ハンガー部２３ａが収納された状態において第１の凸部２４１ａと係合し、ハンガー部２３ａが引出された状態において第２の凸部２４２ａと係合し、クリップ部２２ａが押込まれることで第１，２の凸部２４１ａ，２４２ａとの係合が解除されるロック板２４３ａを有するロック機構２４ａとを備えた。【選択図】図１
2017022700.tif 000002
【特許請求の範囲】
【請求項１】
本体ケースと、
前記本体ケースに設けられたクリップ構造と、
前記本体ケースに設けられ、当該本体ケースに対して収納された状態及び引出された状態に移動可能なハンガー構造と、
前記ハンガー構造の移動に伴って移動する係合部、及び、前記ハンガー構造が収納された状態及び引出された状態において前記係合部と係合し、前記クリップ構造が押込まれることで当該係合部との係合が解除されるロック板を有するロック機構と
を備えたマイク取付け構造。
【請求項２】
前記ハンガー構造は、当該ハンガー構造を前記本体ケースから開閉するように回動可能な回動部を有し、
前記係合部は、前記回動部に設けられた凸部であり、
前記ロック板は、前記凸部が挿入可能な凹部を有する
ことを特徴とする請求項１記載のマイク取付け構造。
【請求項３】
前記回動部は２つ設けられ、
前記凸部は、一方の前記回動部に設けられ、前記ハンガー構造が収納された状態で前記ロック板の前記凹部に挿入されて係合する第１の凸部と、他方の前記回動部に設けられ、前記ハンガー構造が引出された状態において前記ロック板の前記凹部に挿入されて係合する第２の凸部である
ことを特徴とする請求項２記載のマイク取付け構造。
【請求項４】
前記ハンガー構造は、当該ハンガー構造を前記本体ケースから突没するようにスライド可能なスライド部を有し、
前記係合部は、前記スライド部に設けられた凸部である
ことを特徴とする請求項１記載のマイク取付け構造。
【請求項５】
前記ハンガー構造は、当該ハンガー構造を回動しながら前記本体ケースから突没するようにスライド可能な回動スライド部を有し、
前記係合部は、前記回動スライド部に設けられた凸部である
ことを特徴とする請求項１記載のマイク取付け構造。
【請求項６】
マイク本体部と、
前記マイク本体部の筐体の一部を構成する本体ケースと、
前記本体ケースに設けられたクリップ構造と、
前記本体ケースに設けられ、当該本体ケースに対して収納された状態及び引出された状態に移動可能なハンガー構造と、
前記ハンガー構造の移動に伴って移動する係合部、及び、前記ハンガー構造が収納された状態及び引出された状態において前記係合部と係合し、前記クリップ構造が押込まれることで当該係合部との係合が解除されるロック板を有するロック機構と
を備えたハンドマイク。
【発明の詳細な説明】
【技術分野】
【０００１】
この発明は、取付け部にハンドマイクを取付けるマイク取付け構造、及び当該マイク取付け構造を備えたハンドマイクに関する。
【背景技術】
【０００２】
従来、取付け部にハンドマイクを取付けるマイク取付け構造では、クリップ構造（例えば特許文献１参照）又はハンガー構造といった取付け構造が採用されている。また、クリップ構造及びハンガー構造の両方を設け、未使用時にはハンガー構造を収納することで小型化を図るマイク取付け構造も存在する。また、このマイク取付け構造では、ロック機構を用いて、ハンガー構造の収納動作及び引出し動作を規制している。
【先行技術文献】
【特許文献】
【０００３】
【特許文献１】特開２０１３−２０４６００号公報
【発明の概要】
【発明が解決しようとする課題】
【０００４】
しかしながら、従来のクリップ構造及びハンガー構造を有するマイク取付け構造では、クリップ構造とハンガー構造が独立して構成され、また、ハンガー機構に対するロック機構もクリップ構造とは独立に動作する構成となっているという課題がある。その結果、マイク取付け構造の部品点数が増えて大型化する。
【０００５】
この発明は、上記のような課題を解決するためになされたもので、クリップ構造及びハンガー構造を有するマイク取付け構造において、クリップ構造の動作に伴ってハンガー構造に対するロック機構を動作させるマイク取付け構造を提供することを目的としている。
【課題を解決するための手段】
【０００６】
この発明に係るマイク取付け構造は、本体ケースと、本体ケースに設けられたクリップ構造と、本体ケースに設けられ、当該本体ケースに対して収納された状態及び引出された状態に移動可能なハンガー構造と、ハンガー構造の移動に伴って移動する係合部、及び、ハンガー構造が収納された状態及び引出された状態において係合部と係合し、クリップ構造が押込まれることで当該係合部との係合が解除されるロック板を有するロック機構とを備えたことを特徴とする。
【発明の効果】
【０００７】
この発明によれば、上記のように構成したので、クリップ構造及びハンガー構造を有するマイク取付け構造において、クリップ構造の動作に伴ってハンガー構造に対するロック機構を動作させることができる。
【図面の簡単な説明】
【０００８】
【図１】図１Ａ〜図１Ｄは、この発明の実施の形態１に係るハンドマイクの全体構成例（ハンガー構造収納状態）を示す図であり、底面側から見た斜視図と、上面側から見た斜視図と、側面視図と、正面視図である。
【図２】図２Ａ〜図２Ｃは、この発明の実施の形態１に係るハンドマイクの全体構成例（ハンガー構造引出し状態）を示す図であり、斜視図と、側面視図と、正面視図である。
【図３】図３Ａ〜図３Ｄは、この発明の実施の形態１に係るハンドマイクにおけるハンガー構造の収納状態の一例を示す図であり、斜視図と、マイク取付け構造を示す左側面視図、正面視図及び右側面視図である。
【図４】図４Ａ〜図４Ｄは、この発明の実施の形態１に係るハンドマイクにおけるハンガー構造のロック解除状態の一例を示す図であり、斜視図と、マイク取付け構造を示す左側面視図、正面視図及び右側面視図である。
【図５】図５Ａ〜図５Ｄは、この発明の実施の形態１に係るハンドマイクにおけるハンガー構造の引出し状態の一例を示す図であり、斜視図と、マイク取付け構造を示す左側面視図、正面視図及び右側面視図である。
【図６】図６Ａ〜図６Ｄは、この発明の実施の形態１に係るハンドマイクにおけるハンガー構造の引出し後のロック状態の一例を示す図であり、斜視図と、マイク取付け構造を示す左側面視図、正面視図及び右側面視図である。
【図７】図７Ａ〜図７Ｄは、この発明の実施の形態２に係るハンドマイクの全体構成例（ハンガー構造収納状態）を示す図であり、底面側から見た斜視図と、上面側から見た斜視図と、側面視図と、正面視図である。
【図８】図８Ａ〜図８Ｃは、この発明の実施の形態２に係るハンドマイクの全体構成例（ハンガー構造引出し状態）を示す図であり、斜視図と、側面視図と、正面視図である。
【図９】この発明の実施の形態２に係るマイク取付け構造の構成例を示す分解斜視図である。
【図１０】図１０Ａ〜図１０Ｃは、この発明の実施の形態２に係るハンドマイクにおけるハンガー構造の収納状態の一例を示す図であり、斜視図と、マイク取付け構造を示す正面視図及び右側面視図である。
【図１１】図１１Ａ〜図１１Ｃは、この発明の実施の形態２に係るハンドマイクにおけるハンガー構造のロック解除状態の一例を示す図であり、斜視図と、マイク取付け構造を示す正面視図及び右側面視図である。
【図１２】図１２Ａ〜図１２Ｃは、この発明の実施の形態２に係るハンドマイクにおけるハンガー構造の引出し状態の一例を示す図であり、斜視図と、マイク取付け構造を示す正面視図及び右側面視図である。
【図１３】図１３Ａ〜図１３Ｃは、この発明の実施の形態２に係るハンドマイクにおけるハンガー構造の引出し後のロック状態の一例を示す図であり、斜視図と、マイク取付け構造を示す正面視図及び右側面視図である。
【図１４】図１４Ａ〜図１４Ｄは、この発明の実施の形態３に係るハンドマイクの全体構成例（ハンガー構造収納状態）を示す図であり、底面側から見た斜視図と、上面側から見た斜視図と、側面視図と、正面視図である。
【図１５】図１５Ａ〜図１５Ｃは、この発明の実施の形態３に係るハンドマイクの全体構成例（ハンガー構造引出し状態）を示す図であり、斜視図と、側面視図と、正面視図である。
【図１６】この発明の実施の形態３に係るマイク取付け構造の構成例を示す分解斜視図である。
【図１７】図１７Ａ〜図１７Ｄは、この発明の実施の形態３に係るハンドマイクの動作例を示す図であり、ハンガー構造の収納状態を示す斜視図と、ロック解除状態を示す斜視図と、引出し状態を示す斜視図と、引出し後のロック状態を示す斜視図である。
【発明を実施するための形態】
【０００９】
以下、この発明の実施の形態について図面を参照しながら詳細に説明する。
実施の形態１．
図１，２はこの発明の実施の形態１に係るハンドマイクの全体構成例を示す図である。
図１，２に示すように、ハンドマイクのマイク本体部１ａは、背面に、マイク取付け構造２ａを有している。マイク取付け構造２ａは、平板又は壁掛けフック等の取付け部（不図示）にハンドマイクを取付けるための構造物である。このマイク取付け構造２ａは、図１，２に示すように、本体ケース２１ａ、クリップ構造２２ａ、ハンガー構造２３ａ及びロック機構２４ａ（図３等参照）を備えている。なお、本体ケース２１ａは、マイク本体部１ａの筐体の一部（背面部分）を構成する部材でもある。
【００１０】
本体ケース２１ａには、図３に示すロック機構２４ａの後述するロック板２４３ａの一端が突出される突出穴２１１ａが設けられている。また、本体ケース２１ａには、ハンガー構造２３ａの後述する回動部２３１ａが回動可能な回動穴２１２ａが設けられている。
【００１１】
クリップ構造２２ａは、本体ケース２１ａに設けられている。このクリップ構造２２ａにより平板等の取付け部を挟み込むことで、ハンドマイクを当該取付け部に支持させる。このクリップ構造２２ａには、中央付近に、クリップ構造２２ａを開閉可能とする回動部２２１ａが設けられている。また、クリップ構造２２ａの一端は、使用者が押込む押込み部２２２ａであり、バネ等により押込み方向とは反対方向に付勢されている。また、クリップ構造２２ａの他端は、平板等の取付け部を挟み込む挟込み部２２３ａである。この挟込み部２２３ａは、押込み部２２２ａの押込みにより開き、押込み部２２２ａの押込みの解除により閉じる。
【００１２】
ハンガー構造２３ａは、本体ケース２１ａに設けられ、当該本体ケース２１ａに対して収納された状態及び引出された状態に移動可能に構成されている。このハンガー構造２３ａが壁掛けフック等の取付け部に吊り下げられることで、ハンドマイクを当該取付け部に支持させる。
実施の形態１におけるハンガー構造２３ａは、Ｕ字状に構成され、両端に回動部２３１ａが設けられている。回動部２３１ａは、ハンガー構造２３ａを本体ケース２１ａから開閉するように回動可能に、当該本体ケース２１ａに取付けられている。なお、ハンガー構造２３ａは、収納された状態では、図１に示すように全体が本体ケース２１ａに収まり、引出された状態では、図２に示すように本体ケース２１ａから突出するように、形状及び配置が設計されている。
【００１３】
ロック機構２４ａは、ハンガー構造２３ａが収納された状態及び引出された状態において、当該ハンガー構造２３ａの移動を規制する機構である。このロック機構２４ａは、図３等に示すように、第１，２の凸部（係合部）２４１ａ，２４２ａ及びロック板２４３ａを有している。
【００１４】
第１，２の凸部２４１ａ，２４２ａは、ハンガー構造２３ａの移動に伴って移動する部材であり、実施の形態１では回動部２３１ａに設けられている。なお図１では、第１の凸部２４１ａは、一方の回動部２３１ａに設けられ、ハンガー構造２３ａが収納された状態においてロック板２４３ａと係合する。また、第２の凸部２４２ａは、他方の回動部２３１ａに設けられ、ハンガー構造２３ａが引き出された状態においてロック板２４３ａと係合する。
【００１５】
ロック板２４３ａは、第１，２の凸部２４１ａ，２４２ａと係合する部材である。具体的には、ロック板２４３ａは、ハンガー構造２３ａが収納された状態において第１の凸部２４１ａと係合する。また、ロック板２４３ａは、ハンガー構造２３ａが引出された状態において第２の凸部２４２ａと係合する。また、ロック板２４３ａは、クリップ構造２２ａが押込まれることで第１，２の凸部２４１ａ，２４２ａとの係合が解除される。
このロック板２４３ａは、被押込み部２４３１ａ及び規制部２４３２ａを有し、Ｌ字状に構成された板状部材である。被押込み部２４３１ａは、一端が突出穴２１１ａを介してクリップ構造２２ａの押込み部２２２ａに接している。また、規制部２４３２ａは、一端が被押込み部２４３１ａの他端に連結され、他端側に第１，２の凸部２４１ａ，２４２ａが挿入可能な第１，２の孔部２４３３ａ，２４３４ａが設けられている。
【００１６】
そして、ロック板２４３ａは、クリップ構造２２ａの押込み部２２２ａが押込まれることで、自身の位置が押込み方向に移動される。また、ロック板２４３ａは、クリップ構造２２ａの押込み部２２２ａに対する押込みが解除されることで、自身の位置が元の位置に戻る。
ロック板２４３ａによる上記移動は、例えば、バネ等によりロック板２４３ａを押込み方向と逆方向に付勢することで、実現可能である。また、ロック板２４３ａによる上記移動は、例えば、ロック板２４３ａにおける被押込み部２４３１ａの一端をクリップ構造２２ａにおける押込み部２２２ａに連結することでも実現可能である。
【００１７】
次に、実施の形態１に係るハンドマイクにおけるハンガー構造２３ａの引出し動作及び収納動作の一例について、図３〜６を参照しながら説明する。なお図３Ｂ〜３Ｄ，４Ｂ〜４Ｄ，５Ｂ〜５Ｄ，６Ｂ〜６Ｄに示すマイク取付け構造２ａでは、本体ケース２１ａの図示を省略している。
ハンガー構造２３ａが本体ケース２１ａに収納された状態では、図３に示すように、ロック機構２４ａの第１の凸部２４１ａが第１の孔部２４３３ａに挿入されており、ハンガー構造２３ａの移動が規制されている。
【００１８】
この状態において、ハンガー構造２３ａを本体ケース２１ａから引出す場合には、使用者は、まず、図４に示すように、クリップ構造２２ａの押込み部２２２ａを本体ケース２１ａ側に押込む。これにより、被押込み部２４３１ａがマイク本体部１ａ側に押込まれ、ロック板２４３ａが押込み方向に移動する。その結果、第１の凸部２４１ａが第１の孔部２４３３ａから外れ、ハンガー構造２３ａに対する規制が解除される。
【００１９】
次いで、使用者は、図５に示すように、クリップ構造２２ａの押込み部２２２ａを押込んだ状態のまま、ハンガー構造２３ａを本体ケース２１ａから開くように回動部２３１ａを支点に回動させる。これにより、ハンガー構造２３ａが本体ケース２１ａから引出され、また、ロック機構２４ａの第２の凸部２４２ａと第２の孔部２４３４ａとが対向した状態となる。
【００２０】
次いで、使用者は、図６に示すように、クリップ構造２２ａの押込み部２２２ａへの押込みを解除する。これにより、被押込み部２４３１ａに対する押込みも解除され、ロック板２４３ａが元の位置に戻る。その結果、第２の凸部２４２ａが第２の孔部２４３４ａに挿入され、ハンガー構造２３ａの移動が規制される。
また、図６に示す状態からハンガー構造２３ａを本体ケース２１ａに収納する場合には、上記の動作と逆の動作を行えばよい。
【００２１】
このように、実施の形態１に係るマイク取付け構造２ａでは、クリップ構造２２ａに当然備えられる機能を、ロック機構２４ａにおけるロック及びロック解除の機能としても併用している。よって、マイク取付け構造２ａの部品点数を削減できる。
【００２２】
なお、ハンガー構造２３ａの回動部２３１ａにバネを設け、当該バネにより、ハンガー構造２３ａを収納方向へ付勢するように構成してもよい。これにより、クリップ構造２２ａを用いてハンドマイクを平板等の取付け部に取付けた場合に、ハンガー構造２３ａに対するロックが解除され意図せずにハンガー構造２３ａが引出し方向に移動することを回避できる。
【００２３】
以上のように、この実施の形態１によれば、本体ケース２１ａと、本体ケース２１ａに設けられたクリップ構造２２ａと、本体ケース２１ａに設けられ、当該本体ケース２１ａに対して収納された状態及び引出された状態に移動可能なハンガー構造２３ａと、ハンガー構造２３ａの移動に伴って移動する第１，２の凸部２４１ａ，２４２ａ、及び、ハンガー構造２３ａが収納された状態において第１の凸部２４１ａと係合し、ハンガー構造２３ａが引出された状態において第２の凸部２４２ａと係合し、クリップ構造２２ａが押込まれることで当該第１，２の凸部２４１ａ，２４２ａとの係合が解除されるロック板２４３ａを有するロック機構２４ａとを備えたので、クリップ構造２２ａ及びハンガー構造２３ａを有するマイク取付け構造２ａにおいて、クリップ構造２２ａの動作に伴ってハンガー構造２３ａに対するロック機構２４ａを動作させることができる。その結果、従来構成に対し、マイク取付け構造２ａの部品点数を削減でき、小型化を図ることができる。
【００２４】
なお上記では、第１の凸部２４１ａを一方の回動部２３１ａに設け、第２の凸部２４２ａを他方の回動部２３１ａに設けた場合を示した。しかしながら、これに限らず、第１，２の凸部２４１ａ，２４２ａを一方の回動部２３１ａに設けてもよい。
【００２５】
また上記では、Ｕ字状のハンガー構造２３ａを用いたが、これに限らず、マイク取付け構造２ａが取付けられたハンドマイクに働く張力に対抗して当該ハンドマイクを留めておくことが可能な形状であればよく、Ｊ字状等の形状であってもよい。
【００２６】
なお上記では、第１，２の孔部２４３３ａ，２４３４ａを設けたが、貫通している必要はなく、第１，２の凸部２４１ａ，２４２ａが挿入可能な凹部を設けてもよい。
【００２７】
実施の形態２．
図７，８はこの発明の実施の形態２に係るハンドマイクの全体構成例を示す図であり、図９はマイク取付け構造２ｂの構成例を示す分解斜視図である。
図７，８に示すように、ハンドマイクのマイク本体部１ｂは、背面に、マイク取付け構造２ｂを有している。マイク取付け構造２ｂは、平板又は壁掛けフック等の取付け部（不図示）にハンドマイクを取付けるための構造物である。このマイク取付け構造２ｂは、図７〜９に示すように、本体ケース２１ｂ、クリップ構造２２ｂ、ハンガー構造２３ｂ及びロック機構２４ｂを備えている。なお、本体ケース２１ｂは、マイク本体部１ｂの筐体の一部（背面部分）を構成する部材でもある。
【００２８】
本体ケース２１ｂには、ロック機構２４ｂの後述するロック板２４３ｂの一端が突出される突出穴２１１ｂが設けられている。また、本体ケース２１ｂには、ハンガー構造２３ｂの後述するスライド部２３１ｂがスライド可能な摺動穴２１２ｂが設けられている。
【００２９】
クリップ構造２２ｂは、本体ケース２１ｂに設けられている。このクリップ構造２２ｂにより平板等の取付け部を挟み込むことで、ハンドマイクを当該取付け部に支持させる。このクリップ構造２２ｂには、中央付近に、クリップ構造２２ｂを開閉可能とする回動部２２１ｂが設けられている。また、クリップ構造２２ｂの一端は、使用者が押込む押込み部２２２ｂであり、バネ等により押込み方向とは反対方向に付勢されている。また、クリップ構造２２ｂの他端は、平板等を挟み込む挟込み部２２３ｂである。この挟込み部２２３ｂは、押込み部２２２ｂの押込みにより開き、押込み部２２２ｂの押込みの解除により閉じる。
【００３０】
ハンガー構造２３ｂは、本体ケース２１ｂに設けられ、当該本体ケース２１ｂに対して収納された状態及び引出された状態に移動可能に構成されている。このハンガー構造２３ｂが壁掛けフック等の取付け部に吊り下げられることで、ハンドマイクを当該取付け部に支持させる。
実施の形態２におけるハンガー構造２３ｂは、Ｕ字状に構成され、両端にスライド部２３１ｂが設けられている。スライド部２３１ｂは、ハンガー構造２３ｂを本体ケース２１ｂから突没するようにスライド可能に、当該本体ケース２１ｂに取付けられている。なお、ハンガー構造２３ｂは、収納された状態では、図７に示すように全体が本体ケース２１ｂに収まり、引出された状態では、図８に示すように本体ケース２１ｂから突出するように、形状及び配置が設計されている。
【００３１】
ロック機構２４ｂは、ハンガー構造２３ｂが収納された状態及び引出された状態において、当該ハンガー構造２３ｂの移動を規制する機構である。このロック機構２４ｂは、凸部（係合部）２４１ｂ及びロック板２４３ｂを有している。
【００３２】
凸部２４１ｂは、ハンガー構造２３ｂの移動に伴って移動する部材であり、実施の形態２では、図９に示すように、スライド部２３１ｂに設けられている。なお図９では、スライド部２３１ｂそれぞれに凸部２４１ｂが設けられている。
【００３３】
ロック板２４３ｂは、凸部２４１ｂと係合する部材である。具体的には、ロック板２４３ｂは、ハンガー構造２３ｂが収納された状態及び引出された状態において凸部２４１ｂと係合する。また、ロック板２４３ｂは、クリップ構造２２ｂが押込まれることで凸部２４１ｂとの係合が解除される。
このロック板２４３ｂは、被押込み部２４３１ｂ及び規制部２４３２ｂを有し、Ｌ字状に構成された板状部材である。被押込み部２４３１ｂは、一端が突出穴２１１ｂを介してクリップ構造２２ｂの押込み部２２２ｂに接している。また、規制部２４３２ｂは、一端が被押込み部２４３１ｂの他端に連結され、他端が凸部２４１ｂを当接可能に構成されている。この規制部２４３２ｂは、側面が凸部２４１ｂの側面に当接可能に構成されている。
【００３４】
そして、ロック板２４３ｂは、クリップ構造２２ｂの押込み部２２２ｂが押込まれることで、自身の位置が押込み方向に移動される。また、ロック板２４３ｂは、クリップ構造２２ｂの押込み部２２２ｂに対する押込みが解除されることで、自身の位置が元の位置に戻る。
ロック板２４３ｂによる上記移動は、例えば、バネ等によりロック板２４３ｂを押込み方向と逆方向に付勢することで、実現可能である。また、ロック板２４３ｂによる上記移動は、例えば、ロック板２４３ｂにおける被押込み部２４３１ｂの一端をクリップ構造２２ｂにおける押込み部２２２ｂに連結することでも実現可能である。
【００３５】
次に、実施の形態２に係るハンドマイクにおけるハンガー構造２３ｂの引出し動作及び収納動作の一例について、図１０〜１３を参照しながら説明する。なお図１０Ｂ，１０Ｃ，１１Ｂ，１１Ｃ，１２Ｂ，１２Ｃ，１３Ｂ，１３Ｃに示すマイク取付け構造２ｂでは、本体ケース２１ｂの図示を省略している。
ハンガー構造２３ｂが本体ケース２１ｂに収納された状態では、図１０に示すように、ロック機構２４ｂの凸部２４１ｂの一方の側面が規制部２４３２ｂの側面に当接されることで、凸部２４１ｂとロック板２４３ｂとが係合しており、ハンガー構造２３ｂの移動が規制されている。
【００３６】
この状態において、ハンガー構造２３ｂを本体ケース２１ｂから引出す場合には、使用者は、まず、図１１に示すように、クリップ構造２２ｂの押込み部２２２ｂを本体ケース２１ｂ側に押込む。これにより、被押込み部２４３１ｂがマイク本体部１ｂ側に押込まれ、ロック板２４３ｂが押込み方向に移動する。その結果、凸部２４１ｂが規制部２４３２ｂから外れ、ハンガー構造２３ｂに対する規制が解除される。
【００３７】
次いで、使用者は、図１２に示すように、クリップ構造２２ｂの押込み部２２２ｂを押込んだ状態のまま、ハンガー構造２３ｂを本体ケース２１ｂから突出するようにスライド部２３１ｂを支点にスライドさせる。これにより、ハンガー構造２３ｂが本体ケース２１ｂから引出される。
【００３８】
次いで、使用者は、図１３に示すように、クリップ構造２２ｂの押込み部２２２ｂへの押込みを解除する。これにより、被押込み部２４３１ｂに対する押込みも解除され、ロック板２４３ｂが元の位置に戻る。その結果、凸部２４１ｂの他方の側面が規制部２４３２ｂの側面に当接されることで、凸部２４１ｂとロック板２４３ｂとが係合し、ハンガー構造２３ｂの移動が規制される。
また、図１３に示す状態からハンガー構造２３ｂを本体ケース２１ｂに収納する場合には、上記の動作と逆の動作を行えばよい。
【００３９】
このように、実施の形態２に係るマイク取付け構造２ｂでは、クリップ構造２２ｂに当然備えられる機能を、ロック機構２４ｂにおけるロック及びロック解除の機能としても併用している。よって、マイク取付け構造２ｂの部品点数を削減できる。
【００４０】
なお、ハンガー構造２３ｂのスライド部２３１ｂにバネを設け、当該バネにより、ハンガー構造２３ｂを収納方向へ付勢するように構成してもよい。これにより、クリップ構造２２ｂを用いてハンドマイクを平板等の取付け部に取付けた場合に、ハンガー構造２３ｂに対するロックが解除され意図せずにハンガー構造２３ｂが引出し方向に移動することを回避できる。
【００４１】
以上のように、この実施の形態２によれば、本体ケース２１ｂと、本体ケース２１ｂに設けられたクリップ構造２２ｂと、本体ケース２１ｂに設けられ、当該本体ケース２１ｂに対して収納された状態及び引出された状態に移動可能なハンガー構造２３ｂと、ハンガー構造２３ｂの移動に伴って移動する凸部２４１ｂ、及び、ハンガー構造２３ｂが収納された状態及び引出された状態において凸部２４１ｂと係合し、クリップ構造２２ｂが押込まれることで当該凸部２４１ｂとの係合が解除されるロック板２４３ｂを有するロック機構２４ｂとを備えたので、クリップ構造２２ｂ及びハンガー構造２３ｂを有するマイク取付け構造２ｂにおいて、クリップ構造２２ｂの動作に伴ってハンガー構造２３ｂに対するロック機構２４ｂを動作させることができる。その結果、従来構成に対し、マイク取付け構造２ｂの部品点数を削減でき、小型化を図ることができる。
【００４２】
なお上記では、Ｕ字状のハンガー構造２３ｂを用いたが、これに限らず、マイク取付け構造２ｂが取付けられたハンドマイクに働く張力に対抗して当該ハンドマイクを留めておくことが可能な形状であればよく、Ｊ字状等の形状であってもよい。
【００４３】
実施の形態３．
図１４，１５はこの発明の実施の形態３に係るハンドマイクの全体構成例を示す図であり、図１６はマイク取付け構造２ｃの構成例を示す分解斜視図である。
図１４，１５に示すように、ハンドマイクのマイク本体部１ｃは、背面に、マイク取付け構造２ｃを有している。マイク取付け構造２ｃは、平板又は壁掛けフック等の取付け部（不図示）にハンドマイクを取付けるための構造物である。このマイク取付け構造２ｃは、図１４〜１６に示すように、本体ケース２１ｃ、クリップ構造２２ｃ、ハンガー構造２３ｃ及びロック機構２４ｃを備えている。なお、本体ケース２１ｃは、マイク本体部１ｃの筐体の一部（背面部分）を構成する部材でもある。
【００４４】
本体ケース２１ｃには、ロック機構２４ｃの後述するロック板２４３ｃの一端が突出される突出穴２１１ｃが設けられている。また、本体ケース２１ｃには、ハンガー構造２３ｃの後述する回動スライド部２３１ｃが回動しながらスライド可能な摺動穴２１２ｃが設けられている。
【００４５】
クリップ構造２２ｃは、本体ケース２１ｃに設けられている。このクリップ構造２２ｃにより平板等の取付け部を挟み込むことで、ハンドマイクを当該取付け部に支持させる。このクリップ構造２２ｃには、中央付近に、クリップ構造２２ｃを開閉可能とする回動部２２１ｃが設けられている。また、クリップ構造２２ｃの一端は、使用者が押込む押込み部２２２ｃであり、バネ等により押込み方向とは反対方向に付勢されている。また、クリップ構造２２ｃの他端は、平板等の取付け部を挟み込む挟込み部２２３ｃである。この挟込み部２２３ｃは、押込み部２２２ｃの押込みにより開き、押込み部２２２ｃの押込みの解除により閉じる。
【００４６】
ハンガー構造２３ｃは、本体ケース２１ｃに設けられ、当該本体ケース２１ｃに対して収納された状態及び引出された状態に移動可能に構成されている。このハンガー構造２３ｃが壁掛けフック等の取付け部に吊り下げられることで、ハンドマイクを当該取付け部に支持させる。
実施の形態３に係るハンガー構造２３ｃは、Ｊ字状に構成され、一端に回動スライド部２３１ｃが設けられている。回動スライド部２３１ｃは、ハンガー構造２３ｃを回動しながら本体ケース２１ｃから突没するようにスライド可能に、当該本体ケース２１ｃに取付けられている。なお、ハンガー構造２３ｃは、収納された状態では、図１４に示すように全体が本体ケース２１ｃに収まり、引出された状態では、図１５に示すように本体ケース２１ｃから突出するように、形状及び配置が設計されている。
【００４７】
ロック機構２４ｃは、ハンガー構造２３ｃが収納された状態及び引出された状態において、当該ハンガー構造２３ｃの移動を規制する機構である。このロック機構２４ｃは、凸部（係合部）２４１ｃ及びロック板２４３ｃを有している。
【００４８】
凸部２４１ｃは、ハンガー構造２３ｃの移動に伴って移動する部材であり、実施の形態３では、図１６に示すように、回動スライド部２３１ｃに設けられている。なお図１６に示す凸部２４１ｃでは、略中央部分に、ロック板２４３ｃの後述する第１，２の突起部２４３３ｃ，２４３４ｃが嵌る溝が形成されている。
【００４９】
ロック板２４３ｃは、凸部２４１ｃと係合する部材である。具体的には、ロック板２４３ｃは、ハンガー構造２３ｃが収納された状態及び引出された状態において凸部２４２ｃと係合する。また、ロック板２４３ｃは、クリップ構造２２ｃが押込まれることで凸部２４１ｃとの係合が解除される。
このロック板２４３ｃは、被押込み部２４３１ｃ及び規制部２４３２ｃを有し、Ｌ字状に構成された板状部材である。被押込み部２４３１ｃは、一端が突出穴２１１ｃを介してクリップ構造２２ｃの押込み部２２２ｃに接している。また、規制部２４３２ｃは、一端が被押込み部２４３１ｃの他端に連結され、他端側に凸部２４１ｃが当接可能な第１，２の突起部２４３３ｃ，２４３４ｃが設けられている。この第１，２の突起部２４３３ｃ，２４３４ｃは、凸部２４１ｃの溝に嵌ることで、側面が凸部２４１ｃの側面に当接可能に構成されている。
【００５０】
そして、ロック板２４３ｃは、クリップ構造２２ｃの押込み部２２２ｃが押込まれることで、自身の位置が押込み方向に移動される。また、ロック板２４３ｃは、クリップ構造２２ｃの押込み部２２２ｃに対する押込みが解除されることで、自身の位置が元の位置に戻る。
ロック板２４３ｃによる上記移動は、例えば、バネ等によりロック板２４３ｃを押込み方向と逆方向に付勢することで、実現可能である。また、ロック板２４３ｃによる上記移動は、例えば、ロック板２４３ｃにおける被押込み部２４３１ｃの一端をクリップ構造２２ｃにおける押込み部２２２ｃに連結することでも実現可能である。
【００５１】
次に、実施の形態３に係るハンドマイクにおけるハンガー構造２３ｃの引出し動作及び収納動作の一例について、図１７を参照しながら説明する。
図１７Ａに示すように、ハンガー構造２３ｃが本体ケース２１ｃに収納された状態では、ロック機構２４ｃの凸部２４１ｃの側面が第１の突起部２４３３ｃの側面に当接されることで、凸部２４１ｃとロック板２４３ｃとが係合しており、ハンガー構造２３ｃの移動が規制されている。図１６に示す構成では、第１の突起部２４３３ｃが凸部２４１ｃの溝に嵌ることで、凸部２４１ｃとロック板２４３ｃとが係合している。
【００５２】
この状態において、ハンガー構造２３ｃを本体ケース２１ｃから引出す場合には、使用者は、まず、図１７Ｂに示すように、クリップ構造２２ｃの押込み部２２２ｃを本体ケース２１ｃ側に押込む。これにより、被押込み部２４３１ｃがマイク本体部１ｃ側に押込まれ、ロック板２４３ｃがマイク本体部１ｃ側に移動する。その結果、凸部２４１ｃが第１の突起部２４３３ｃから外れ、ハンガー構造２３ｃに対する規制が解除される。
【００５３】
次いで、使用者は、図１７Ｃに示すように、クリップ構造２２ｃの押込み部２２２ｃを押込んだ状態のまま、ハンガー構造２３ｃを回動しながら本体ケース２１ｃから突出するように回動スライド部２３１ｃを支点に回動スライドさせる。これにより、ハンガー構造２３ｃが本体ケース２１ｃから引出される。
【００５４】
次いで、使用者は、図１７Ｄに示すように、クリップ構造２２ｃの押込み部２２２ｃへの押込みを解除する。これにより、被押込み部２４３１ｃに対する押込みも解除され、ロック板２４３ｃが元の位置に戻る。その結果、凸部２４１ｃの側面が第２の突起部２４３４ｃの側面に当接されることで、凸部２４１ｂとロック板２４３ｂとが係合し、ハンガー構造２３ｃの移動が規制される。図１６に示す構成では、第２の突起部２４３４ｃが凸部２４１ｃの溝に嵌ることで、凸部２４１ｃとロック板２４３ｃとが係合する。
また、図１７Ｄに示す状態からハンガー構造２３ｃを本体ケース２１ｃに収納する場合には、上記の動作と逆の動作を行えばよい。
【００５５】
このように、実施の形態３に係るマイク取付け構造２ｃでは、クリップ構造２２ｃに当然備えられる機能を、ロック機構２４ｃにおけるロック及びロック解除の機能としても併用している。よって、マイク取付け構造２ｃの部品点数を削減できる。
【００５６】
なお、ハンガー構造２３ｃの回動スライド部２３１ｃにバネを設け、当該バネにより、ハンガー構造２３ｃを収納方向へ付勢するように構成してもよい。これにより、クリップ構造２２ｃを用いてハンドマイクを平板等の取付け部に取付けた場合に、ハンガー構造２３ｃに対するロックが解除され意図せずにハンガー構造２３ｃが引出し方向に移動することを回避できる。
【００５７】
以上のように、この実施の形態３によれば、本体ケース２１ｃと、本体ケース２１ｃに設けられたクリップ構造２２ｃと、本体ケース２１ｃに設けられ、当該本体ケース２１ｃに対して収納された状態及び引出された状態に移動可能なハンガー構造２３ｃと、ハンガー構造２３ｃの移動に伴って移動する凸部２４１ｃ、及び、ハンガー構造２３ｃが収納された状態及び引出された状態において凸部２４１ｃと係合し、クリップ構造２２ｃが押込まれることで当該凸部２４１ｃとの係合が解除されるロック板２４３ｃを有するロック機構２４ｃとを備えたので、クリップ構造２２ｃ及びハンガー構造２３ｃを有するマイク取付け構造２ｃにおいて、クリップ構造２２ｃの動作に伴ってハンガー構造２３ｃに対するロック機構２４ｃを動作させることができる。その結果、従来構成に対し、マイク取付け構造２ｃの部品点数を削減でき、小型化を図ることができる。
【００５８】
なお上記では、Ｊ字状のハンガー構造２３ｃを用いたが、これに限らず、マイク取付け構造２ｃが取付けられたハンドマイクに働く張力に対抗して当該ハンドマイクを留めておくことが可能な形状であればよく、Ｕ字状等の形状であってもよい。
【００５９】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６０】
１ａ，１ｂ，１ｃ  マイク本体部、２ａ，２ｂ，２ｃ  マイク取付け構造、２１ａ，２１ｂ，２１ｃ  本体ケース、２２ａ，２２ｂ，２２ｃ  クリップ構造、２３ａ，２３ｂ，２３ｃ  ハンガー構造、２４ａ，２４ｂ，２４ｃ  ロック機構、２１１ａ，２１１ｂ，２１１ｃ  突出穴、２１２ａ  回動穴、２１２ｂ，２１２ｃ  摺動穴、２２１ａ，２２１ｂ，２２１ｃ  回動部、２２２ａ，２２２ｂ，２２２ｃ  押込み部、２２３ａ，２２３ｂ，２２３ｃ  挟込み部、２３１ａ  回動部、２３１ｂ  スライド部、２３１ｃ  回動スライド部、２４１ａ，２４２ａ  第１，２の凸部（係合部）、２４１ｂ，２４１ｃ  凸部（係合部）、２４３ａ，２４３ｂ，２４３ｃ  ロック板、２４３１ａ，２４３１ｂ，２４３１ｃ  被押込み部、２４３２ａ，２４３２ｂ，２４３２ｃ  規制部、２４３３ａ，２４３４ａ  第１，２の孔部、２４３３ｃ，２４３４ｃ  第１，２の突起部。
【図１】
2017022700.tif 000003
【図２】
2017022700.tif 000004
【図３】
2017022700.tif 000005
【図４】
2017022700.tif 000006
【図５】
2017022700.tif 000007
【図６】
2017022700.tif 000008
【図７】
2017022700.tif 000009
【図８】
2017022700.tif 000010
【図９】
2017022700.tif 000011
【図１０】
2017022700.tif 000012
【図１１】
2017022700.tif 000013
【図１２】
2017022700.tif 000014
【図１３】
2017022700.tif 000015
【図１４】
2017022700.tif 000016
【図１５】
2017022700.tif 000017
【図１６】
2017022700.tif 000018
【図１７】
2017022700.tif 000019